(57)【要約】【課題】イメージファイル管理装置および方法を提供する。【解決手段】イメージファイル管理装置は所定の被写体を撮影した位置、方向および角度のうち少なくとも何れか一つを測定するセンサ部と測定された情報に対応する撮影場所および撮影された被写体に関する情報のうち少なくとも何れか一つを抽出する抽出部および抽出された情報を利用して撮影されたイメージファイルにネームを付与する分類部を含む。【選択図】図２
2008118643.tif 000002
【特許請求の範囲】
【請求項１】
所定の被写体を撮影した位置、方向および角度のうち少なくとも何れか一つを測定するセンサ部と、
前記測定された情報に対応する撮影場所および撮影された被写体に関する情報のうち少なくとも何れか一つを抽出する抽出部と、
前記抽出された情報を利用して撮影されたイメージファイルにネームを付与する分類部を含む、イメージファイル管理装置。
【請求項２】
前記センサ部は
ＧＰＳ、慣性センサ、および基地局セルＩＤのうち少なくとも一つを利用する、請求項１に記載のイメージファイル管理装置。
【請求項３】
前記慣性センサは
加速度センサ、地磁気センサおよびジャイロセンサのうち少なくとも一つを含む、請求項２に記載のイメージファイル管理装置。
【請求項４】
前記抽出された情報を利用して前記イメージファイルのアップロードまたは検索のためのメタ  ファイルを生成する生成部をさらに含む、請求項１に記載のイメージファイル管理装置。
【請求項５】
前記抽出部は
位置基盤サービス情報を利用して前記撮影場所および前記撮影された被写体に関する情報を抽出する、請求項１に記載のイメージファイル管理装置。
【請求項６】
前記センサ部は
ＧＰＳが断絶した場合、慣性センサを利用して前記被写体を撮影した位置、方向および角度のうち少なくとも一つを測定する、請求項１に記載のイメージファイル管理装置。
【請求項７】
前記センサ部は
慣性センサによって測定される値の誤差が閾値を超過した場合、基地局セルＩＤを利用して前記被写体を撮影した位置を測定する、請求項１に記載のイメージファイル管理装置。
【請求項８】
前記分類部は
前記イメージファイルを所定基準によって分類する、請求項１に記載のイメージファイル管理装置。
【請求項９】
前記基準は、前記被写体が撮影された場所のネームまたは前記撮影された被写体のネームである、請求項８に記載のイメージファイル管理装置。
【請求項１０】
所定の被写体を撮影した位置、方向および角度のうち少なくとも何れか一つを測定する段階と、
前記測定された情報に対応する撮影場所および撮影された被写体に関する情報のうち少なくとも何れか一つを抽出する段階と、
前記抽出された情報を利用して撮影されたイメージファイルにネームを付与する段階を含む、イメージファイル管理方法。
【請求項１１】
前記測定する段階は
ＧＰＳ、慣性センサおよび基地局セルＩＤのうち少なくとも何れか一つを利用する、請求項１０に記載のイメージファイル管理方法。
【請求項１２】
前記慣性センサは
加速度センサ、地磁気センサおよびジャイロセンサのうち少なくとも何れか一つを含む、請求項１１に記載のイメージファイル管理方法。
【請求項１３】
前記抽出された情報を利用して前記イメージファイルのアップロードまたは検索のためのメタファイル（データ）を生成する段階をさらに含む、請求項１０に記載のイメージファイル管理方法。
【請求項１４】
前記抽出する段階は
位置基盤サービス情報を利用して前記撮影場所および前記撮影された被写体に関する情報を抽出する、請求項１０に記載のイメージファイル管理方法。
【請求項１５】
前記測定する段階は
ＧＰＳが断絶した場合、慣性センサを利用して前記被写体を撮影した位置、方向および角度を測定する、請求項１０に記載のイメージファイル管理方法。
【請求項１６】
前記測定する段階は
慣性センサによって測定される値の誤差が閾値を超過した場合、基地局セルＩＤを利用して前記被写体を撮影した位置を測定する、請求項１０に記載のイメージファイル管理方法。
【請求項１７】
前記のネームを付与する段階は
前記イメージファイルを所定基準により分類する段階をさらに含む、請求項１０に記載のイメージファイル管理方法。
【請求項１８】
前記基準は、前記被写体が撮影された場所のネームまたは前記撮影された被写体のネームの、請求項１７に記載のイメージファイル管理方法。
【請求項１９】
被写体が撮影された場所に対する情報および前記撮影された被写体に関する情報のうち少なくとも一つの情報を利用して前記撮影された被写体のイメージファイルのファイルネームまたはディレクトリを生成する段階、および
前記ファイル名を利用して前記イメージファイルまたは前記生成されたディレクトリ下に前記イメージファイルを保存する段階を含む、イメージファイル管理方法。
【請求項２０】
ＧＰＳ、慣性センサ、基地局セルＩＤのうち少なくとも一つを利用して、前記被写体が撮影された位置、方向、および角度を測定する段階をさらに含む、請求項１９に記載のイメージファイル管理方法。
【請求項２１】
前記情報を利用してイメージファイルを検索する段階をさらに含む、請求項１９に記載のイメージファイル管理方法。
【発明の詳細な説明】
【技術分野】
【０００１】
本発明はイメージファイル管理装置および方法に関するもので、より一層詳細にＧＰＳが連結しない状況でも撮影位置、方向、角度を慣性センサによって測定し、測定された情報を利用して撮影したイメージファイルのネーム付与および管理において効率性を高めるイメージファイル管理装置および方法に関するものである。
【背景技術】
【０００２】
携帯電話のように移動しつつ被写体を撮影する装置は多様な場所で被写体を撮影することができる。撮影されたイメージファイルには一括的に一連番号が付与されネーミング（Ｎａｍｉｎｇ）がなされ、この時ディレクトリ区分は成されない。例えばＩＭＧ＿０７０１、ＩＭＧ＿１５３２、…、写真＿００１、写真＿００２、写真＿００３等で撮影されたイメージファイルに一括的に一連番号が付与されイメージファイルのネームとして定められる。
【０００３】
したがって、ユーザは撮影後にイメージファイルの内容を一々確認して分類したり、ネームを変更してディレクトリを区分しなければならない。このような過程を通して、イメージファイルが正しく分類されなかったり、上書きされ損傷する場合が発生し得る。
【０００４】
そして、従来にはＧＰＳ（Ｇｌｏｂａｌ  Ｐｏｓｉｔｉｏｎｉｎｇ  Ｓｙｓｔｅｍ）が連結されていなかったり、イメージファイルが多くなる場合にイメージファイルの管理が難しいという問題点があった。
【特許文献１】日本公開特許第２００５−３１１８０５号公報
【発明の開示】
【発明が解決しようとする課題】
【０００５】
本発明はイメージファイル管理装置および方法を提供し、撮影したイメージファイルのネーム付与および管理において効率性を高めることにその目的がある。
【０００６】
本発明の目的は以上で言及した目的に制限されず、言及されないまた他の目的は次の記載から当業者に明確に理解されるであろう。
【課題を解決するための手段】
【０００７】
前記目的を達成するために、本発明の実施形態によるイメージファイル管理装置は所定の被写体を撮影した位置、方向および角度のうち少なくとも何れか一つを測定するセンサ部と測定された情報に対応する撮影場所および撮影された被写体に関する情報のうち少なくとも何れか一つを抽出する抽出部および抽出された情報を利用して撮影されたイメージファイルにネームを付与する分類部を含む。
【発明の効果】
【０００８】
前記したような本発明のイメージファイル管理装置および方法によれば次のような効果が一つあるいはそれ以上ある。
【０００９】
一番目に、同一な位置で撮影しても撮影方向と角度によってイメージファイルの細かい分類が可能であるという長所がある。
二番目に、室内または車両で移動する時にもイメージファイルの自動分類が可能であるという長所もある。
三つ目に、慣性センサによる測定値の誤差が大きくなれば基地局セルＩＤを活用して簡略な分類が可能であるという長所もある。
四つ目、イメージファイルの検索などに使用されるメタファイルに映像獲得時の位置、方向、角度などの追加情報を挿入することができるという長所もある。
【発明を実施するための最良の形態】
【００１０】
本発明の実施形態によるイメージファイル管理方法は所定の被写体を撮影した位置、方向および角度のうち少なくとも何れか一つを測定する段階と測定された情報に対応する撮影場所および撮影された被写体に関する情報のうち少なくとも何れか一つを抽出する段階および抽出された情報を利用して撮影されたイメージファイルにネームを付与する段階を含む。
その他実施形態の具体的な事項は詳細な説明および図に含まれている。
【００１１】
本発明の利点および特徴、そしてそれらを達成する方法は添付される図面と共に詳細に後述されている実施形態を参照すれば明確になるだろう。しかし本発明は以下で開示される実施形態に限定されるものではなく互いに異なる多様な形態で具現され、単に本実施形態は本発明の開示が完全なようにして、本発明が属する技術分野で通常の知識を有する者に発明の範疇を完全に知らせるために提供されているもので、本発明は請求項の範囲によってのみ定義される。明細書全体にかけて、同一参照符号は同一構成要素を指称する。
【００１２】
以下、添付された図面を参照し、本発明の好ましい実施形態を詳細に説明する。
【００１３】
図１は本発明の一実施形態によるイメージファイル管理の概念図である。
本発明では撮影されたイメージファイルを分類してイメージファイルにネームを自動で付与するために、撮影位置、方向および角度などの撮影時の物理的データ１０２とこれを撮影場所または撮影された被写体の情報と連動させる位置基盤サービス（ＬＢＳ；Ｌｏｃａｔｉｏｎ  Ｂａｓｅｄ  Ｓｅｒｖｉｃｅ）データ１０４を利用することができる。撮影位置はＧＰＳ１０６、慣性センサ１０８または基地局セルＩＤ１１０を利用して得ることができる。そして、ＬＢＳデータ１０４は機器自体のメモリに保存されたりネットワークサーバーから受信され得る。
【００１４】
したがって本発明を通してＧＰＳ１０６が作動しない室内とＧＰＳ１０６の分解能以下で慣性センサ１０８が活用され撮影位置、方向および角度が測定され得て、これをイメージファイル分類とネーム付与に使用することができる。
【００１５】
従来には前記ＧＰＳ１０６を使用して撮影位置（緯度および経度）を測定することができた。すなわち、ＧＰＳ１０６は一般的な状況でその分解能が数十ｍ以上で撮影位置に対するデータだけを提供することができる。反面、慣性センサ１０８は数ｃｍ以内の撮影位置、方向および角度などを測定することができる。また、慣性センサ１０８はＧＰＳ１０６が断絶した状態でも自律航法による位置測定が可能だという長所を有している。そして、基地局セル（Ｃｅｌｌ）ＩＤ１１０は数百ｍの誤差が大きい位置を測定することができる。
【００１６】
一方、航法衛星から微弱な信号の受信を受けなければならないＧＰＳ１０６は都心、室内、山林などの場所では作動しない。したがって一般的に被写体に対する撮影はＧＰＳ１０６が作動しない所で撮影する場合が多いためこういう場合にはイメージファイルの分類がされない。この場合、本発明では基地局セルＩＤ１１０による位置追跡と慣性センサ１０８を使用してＧＰＳ１０６が受信されない場所でも撮影位置、方向、角度を測定することができる。
【００１７】
図２は本発明の一実施形態によるイメージファイル管理装置のブロック図である。
イメージファイル管理装置２００は、センサ部２１０、抽出部２２０、分類部２３０および生成部２４０を含む。
センサ部２１０は、所定の被写体を撮影した位置、方向および角度のうち少なくとも何れか一つを測定する。センサ部２１０は、ＧＰＳ１０６、慣性センサ１０８および基地局セルＩＤ（Ｉｄｅｎｔｉｆｉｃａｔｉｏｎ）１１０のうち少なくとも何れか一つを利用することができる。
【００１８】
前記ＧＰＳは世界どこであっても人工衛星を利用して自身の位置を正確に知ることが出来るシステムで、緯度、経度、高度な位置だけでなく３次元の速度情報と共に正確な時間まで提供することができる。したがってセンサ部２１０はＧＰＳの受信機の役割を遂行して位置情報を得ることができる。また、前記慣性センサ１０８は加速度センサ、地磁気センサおよびジャイロセンサなどを含み得る。慣性センサ１０８は運動の慣性力を検出して測定対象である動く物体の加速度、速度、方向、距離など多様な航法関連情報を提供することができる。前記基地局セルＩＤ１１０は基地局の分類番号であって、例えば現在自身の携帯電話がどの基地局と連結されているのか分かれば該当基地局の位置から自身の携帯電話の位置を知ることができる。
【００１９】
一方、前記センサ部２１０はＧＰＳと慣性センサ１０８を連動して使用する途中、ＧＰＳが断絶する場合でも慣性センサ１０８によって被写体を撮影した位置、方向および角度に関する情報を測定することができる。すなわち、慣性センサ１０８はＧＰＳが断絶した時点の位置を推測し、方向および角度に関する情報を測定することができる。またセンサ部２１０は慣性センサ１０８を利用する途中、測定される値の誤差が閾値を超過した場合基地局セルＩＤを利用して撮影位置を測定することができる。
【００２０】
このように、センサ部２１０はＧＰＳ、慣性センサ１０８および基地局セルＩＤを互いに連動させて被写体を撮影した位置、方向および角度に対する測定を実施することができる。
【００２１】
抽出部２２０は前記測定された情報に対応する撮影場所および撮影された被写体に関する情報のうち少なくとも何れか一つを抽出する。抽出部２２０は位置基盤サービスデータを利用して前記測定された情報に対応する撮影場所および撮影された被写体の情報を抽出することができる。この時、ＬＢＳデータはユーザ機器内に含まれたりネットワークサーバーに保存され得る。
【００２２】
すなわち、抽出部２２０は前記測定された情報と対応するＬＢＳデータを検索し、これによってＬＢＳデータ内に保存された地名（すなわち撮影場所）および撮影した被写体に関する情報を抽出することができる。例えばユーザが仏国寺の大雄殿を撮影した場合に撮影位置、方向および角度に関する情報がセンサ部２１０によって測定され、該当情報によって、緯度および経度が測定され、前記緯度および経度に対応するＬＢＳデータが抽出部２２０を通して検索される。したがって前記緯度および経度に対応する仏国寺の大雄殿という情報がＬＢＳデータから抽出されるようになる。
【００２３】
分類部２３０は前記抽出された情報を利用して撮影されたイメージファイルにネームを付与したり、前記イメージファイルを所定基準により分類する。例えば抽出された情報が仏国寺（撮影場所）と大雄殿（イメージ）の場合、イメージファイルのネームは仏国寺−大雄殿．ｊｐｇと付与され、多数のイメージファイルが仏国寺で撮影された場合、仏国寺というネームのディレクトリが生成され、撮影場所によりイメージファイルが分類され得る。そして、ユーザが異なる撮影場所（清渓川で被写体を撮影した場合、清渓川というネームのディレクトリが生成され清渓川で撮影したイメージファイルが自動で分類される。
【００２４】
生成部２４０は前記抽出された情報を利用してイメージファイルのアップロードまたは検索のためのメタファイルを生成する。すなわち、生成部２４０は抽出された撮影場所および撮影された被写体に関する情報を利用してイメージファイルのアップロードおよび検索のためのメタファイルを生成することができ、したがってユーザが容易に望みのイメージファイルを迅速に検索できるようになる。生成部２４０は他の実施形態では省略可能である。
【００２５】
図２で図示された各々の構成要素は一種の「モジュール」で構成され得る。前記「モジュール」はソフトウェアまたはＦｉｅｌｄ  Ｐｒｏｇｒａｍｍａｂｌｅ  Ｇａｔｅ  Ａｒｒａｙ（ＦＰＧＡ）または注文型半導体（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）のようなハードウェア構成要素を意味し、モジュールはある役割を遂行する。しかし、モジュールはソフトウェアまたはハードウェアに限定される意味ではない。モジュールはアドレッシングできる保存媒体にあるように構成することもできるが、またはそれ以上のプロセッサを実行させるように構成され得る。したがって、一形態としてモジュールはソフトウェア構成要素、オブジェクト指向ソフトウェア構成要素、クラス構成要素およびタスク構成要素のような構成要素と、プロセス、関数、属性、プロシーザ、サブルーチン、プログラムコードのセグメント、ドライバ、ファームウェア、マイクロコード、回路、データ、データベース、データ構造、テーブル、アレイ、および変数を含む。構成要素とモジュールで提供される機能はさらに小さい数の構成要素およびモジュールに結合したり追加的な構成要素とモジュールにさらに分離することができる。
【００２６】
図３は本発明の一実施形態によるイメージファイル管理方法の順序図である。
ユーザが被写体を撮影すると、センサ部２１０は前記被写体を撮影した位置、方向および角度のうち少なくとも何れか一つを測定する（Ｓ３０１）。
【００２７】
この時、ＧＰＳと慣性センサ１０８が連動された場合、ＧＰＳによって撮影位置が測定され、慣性センサ１０８によって撮影方向と角度が測定される。
【００２８】
もしＧＰＳが断絶した場合、センサ部２１０は慣性センサ１０８によって、被写体を撮影した位置、方向および角度に関する情報を測定し、これによって緯度および経度データを得ることができる。また、センサ部２１０は特定距離以上（普通数ｋｍ）の移動では慣性センサ１０８の測定される値の誤差が大きくなるため、所定閾値を超過すると基地局セルＩＤを使用して撮影位置を算出することができる。基地局セルＩＤの位置決定正確度は数ｋｍ程である。
【００２９】
次の段階で、分類部２３０は前記抽出された情報を利用して撮影されたイメージファイルにネームを付与したり、前記イメージファイルを所定基準により分類する（Ｓ３１１）。
【００３０】
この時、ＬＢＳデータ１０４が利用され被写体を撮影した位置、方向および角度情報に対応する撮影場所および撮影された被写体に関する情報が抽出され得て、分類部２３０は抽出された情報を利用してイメージファイルにネームを付与するようになる。例えば被写体により大雄殿．ｊｐｇ、多宝塔．ｊｐｇ、３層石塔．ｊｐｇ、等でネームが付与され得、撮影場所によって慶福宮、徳寿宮等にディレクトリが分類される。
【００３１】
そして、生成部２４０は前記抽出された情報を利用して撮影されたイメージファイルのアップロードまたは検索のためのメタファイルを生成する（Ｓ３２１）。他の実施形態では本段階（Ｓ３２１）が省略され得る。
【００３２】
図４は方向と角度を異にして、被写体を撮影した例示図である。
一般的に一つの場所で他の方向と角度で色々な被写体を撮影する場合が多く、ＧＰＳが受信されるといってもＧＰＳの分解能（数十ｍ）以内で撮影されたものはイメージファイルとして分類されない。すなわち、ＧＰＳは撮影位置情報だけを提供する。しかし、慣性センサ１０８は方向および角度などを測定しＧＰＳ分解能以上の微細な位置変化も測定が可能である。
【００３３】
図４に図示されたように一つの撮影位置でカメラの撮影角度を変えながら撮影をする場合にはＧＰＳデータは変化がないためイメージファイルの自動分類がなされない。この時慣性センサ１０８による情報を活用すれば撮影された被写体が知ることができ撮影されたイメージファイルを分類することができる。すなわち、ＧＰＳは撮影位置情報だけを提供できる反面、慣性センサ１０８は撮影した方向と角度によって各被写体を区別することができる。
【００３４】
例えばＧＰＳと慣性センサ１０８が連動されて使用され、カメラ４００が１９０度角度で南西方向の被写体４  ４０２を撮影した場合、ＧＰＳは撮影位置を提供することができ、慣性センサ１０８は撮影方向、および角度に関する情報を提供することができる。これによって、緯度および経度が測定され得て、以後ＬＢＳデータによって被写体４  ４０２のネームと撮影場所が分かるようになる。また、ＧＰＳが断絶した場合には慣性センサ１０８が撮影位置、方向、および角度に関する情報を提供することによって、従来ＧＰＳ断絶時の問題点を解決してくれる。
【００３５】
図５は本発明の一実施形態によるイメージファイルにネームを付与したり分類する図である
図５に図示されたように、撮影されたイメージファイルの撮影位置、方向および角度とＬＢＳデータを連結して撮影場所および撮影された被写体に関する情報を抽出し、これによって撮影されたイメージファイルにネームを付与したり、各ディレクトリにイメージファイルを分類する過程を示している。
【００３６】
より具体的に説明すれば、撮影位置が仏国寺５００で、カメラの撮影角度を変えながら撮影をする場合、各々の方向と角度によって被写体１ないし被写体４（５０２）が撮影される。この時、撮影位置と方向、角度情報を活用すればある撮影位置で各被写体によってネームが付与され得る。
【００３７】
例えば撮影位置と方向、角度を通して、緯度と経度が計算され得て、ＬＢＳデータから該当緯度と経度に対応されるデータを抽出し各撮影された被写体および撮影場所を把握することができる。
【００３８】
この時、撮影された被写体５０２ファイルのネームはＬＢＳデータから抽出されたデータを利用して付与することができる。例えば撮影した被写体１が仏国寺の大雄殿の場合、抽出部２２０は該当緯度と経度と対応するＬＢＳデータを通して、仏国寺と大雄殿というデータを抽出することができ、分類部２３０は被写体１のイメージファイルのネームを大雄殿．ｊｐｇ５０４と付与することができる。
【００３９】
また、所定基準によって各ディレクトリ別にイメージファイルが分類され得る。例えば撮影場所を基準として分類する場合、被写体を撮影した場所が仏国寺と慶福宮ならば、仏国寺で撮影された被写体は仏国寺ディレクトリ５０６内に保存され、慶福宮で撮影された被写体らは慶福宮ディレクトリ（未図示）内に保存される。
【００４０】
そして、ＬＢＳデータから抽出された情報を利用してメタファイルを生成し検索およびイメージファイルのアップロードに利用することができる（５０８）。
【００４１】
以上添付された図面を参照し本発明の実施形態を説明しましたが、本発明が属する技術分野で通常の知識を有する者は本発明がその技術的思想や必須の特徴を変更しなくとも他の具体的な形態で実施され得るということを理解するはずである。そのため以上で記述した実施形態はすべての面で例示的なものであり、限定的ではないことに理解しなければならない。
【図面の簡単な説明】
【００４２】
【図１】本発明の一実施形態によるイメージファイル管理の概念図である。
【図２】本発明の一実施形態によるイメージファイル管理装置のブロック図である。
【図３】本発明の一実施形態によるイメージファイル管理方法の順序図である。
【図４】方向と角度を別にして被写体を撮影した例示図である。
【図５】本発明の一実施形態によるイメージファイルにネームを付与したり分類する図である。
【符号の説明】
【００４３】
２１０      センサ部
２２０      抽出部
２３０      分類部
２４０      生成部
【図１】
2008118643.tif 000003
【図２】
2008118643.tif 000004
【図３】
2008118643.tif 000005
【図４】
2008118643.tif 000006
【図５】
2008118643.tif 000007